(57)【要約】【課題】フィルタの清掃あるいは交換の頻度を下げつつ、フィルタの清掃あるいは交換を行う際には、フィルタを低所で清掃あるいは交換することが可能で、簡易な構成を有する天井埋込型空気調和装置を提供する。【解決手段】天井内に埋設される本体ユニットの下端に設けられた化粧パネル２１の吸込口にグリル３０を設け、このグリル３０には、その開口部に吸込空気を清浄化するためのロールフィルタ４０を位置させ、かつ、当該ロールフィルタ４０を巻取可能に収納するロールフィルタユニット５０を着脱可能に設置し、ロールフィルタユニット５０とをグリル３０とともに所定位置まで降下可能に構成された昇降グリルと、ロールフィルタユニット５０に着脱自在に連結されロールフィルタを巻き取るための駆動力を与える巻取駆動機構６０を有するとともに、ロールフィルタユニット５０が収納可能とされたフィルタチャンバ２０と、を備える。【選択図】図２
2010043783.tif 000002
【特許請求の範囲】
【請求項１】
天井内に埋設される本体ユニットの下端に設けられ、吸出口と吸込口とを有する化粧パネルと、
前記化粧パネルの前記吸込口に吸込グリルを設け、この吸込グリルには、その開口部に吸込空気を清浄化するためのロールフィルタを位置させ、かつ、当該ロールフィルタを巻取可能に収納するフィルタ本体ユニットを着脱可能に設置し、前記フィルタ本体ユニットを前記吸込グリルとともに所定位置まで降下可能に構成された昇降グリルと、
前記フィルタ本体ユニットに着脱自在に連結され前記ロールフィルタを巻き取るための駆動力を与える駆動ユニットを有するとともに、前記フィルタ本体ユニットが収納可能とされたチャンバと、
を備えたことを特徴とする天井埋込型空気調和装置。
【請求項２】
請求項１記載の天井埋込型空気調和装置において、
前記ロールフィルタが前記吸込グリルの吸込流路と複数回交差するように、前記ロールフィルタの巻取経路が配置されていることを特徴とする天井埋込型空気調和装置。
【請求項３】
請求項１または請求項２記載の天井埋込型空気調和装置において、
前記フィルタユニット本体は、前記駆動ユニットからの駆動力が入力される入力ギアを有し、
前記駆動ユニットは、揺動可能に支持され、かつ、前記吸込グリルの下降方向に付勢され、前記連結時に前記吸込グリルの昇降方向に沿って揺動されて、前記入力ギアに噛合される出力ギアを備えた、
ことを特徴とする天井埋込型空気調和装置。
【請求項４】
請求項３載の天井埋込型空気調和装置において、
前記駆動ユニットは、駆動モータと、
前記出力ギアを有し、前記駆動モータの駆動力を減速しつつ伝達する減速機構と、
前記出力ギアを揺動可能に支持する揺動アームと、
を備えたことを特徴とする天井埋込型空気調和装置。
【発明の詳細な説明】
【技術分野】
【０００１】
本発明は、天井埋込型空気調和装置に係り、特にフィルタが配置された吸込グリルが昇降可能に構成された天井埋込型空気調和装置に関する。
【背景技術】
【０００２】
一般に、天井内に埋設される本体の下端に、吹出口と吸込口とを有するグリル枠を設け、このグリル枠の開口部にフィルタを支持する吸込グリルを設け、この吸込グリルをフィルタごと昇降自在に形成し、フィルタを清掃あるいは交換するときには吸込グリルをフィルタごと降下させて、このフィルタを低所で清掃あるいは交換できるようにした空気調和装置が知られている（例えば、特許文献１参照）。
【０００３】
【特許文献１】特開２００２−３４９８９３号公報
【発明の開示】
【発明が解決しようとする課題】
【０００４】
しかし、厨房などの油の多い環境や、工場などの塵埃の多い環境においては、フィルタの清掃あるいは交換の頻度が高くなり、フィルタの清掃あるいは交換の度に吸込グリルをフィルタごと降下させる必要があるため手間が煩わしいという問題点があった。
そこで、本発明の目的は、フィルタの清掃あるいは交換の頻度を下げつつ、フィルタの清掃あるいは交換を行う際には、フィルタを低所で清掃あるいは交換することが可能で、簡易な構成を有する天井埋込型空気調和装置を提供することにある。
【課題を解決するための手段】
【０００５】
上記課題を解決するため、本発明の第１態様は、天井内に埋設される本体ユニットの下端に設けられ、吸出口と吸込口とを有する化粧パネルと、前記化粧パネルの前記吸込口に吸込グリルを設け、この吸込グリルには、その開口部に吸込空気を清浄化するためのロールフィルタを位置させ、かつ、当該ロールフィルタを巻取可能に収納するフィルタ本体ユニットを着脱可能に設置し、前記フィルタ本体ユニットを前記吸込グリルとともに所定位置まで降下可能に構成された昇降グリルと、前記フィルタ本体ユニットに着脱自在に連結され前記ロールフィルタを巻き取るための駆動力を与える駆動ユニットを有するとともに、前記フィルタ本体ユニットが収納可能とされたチャンバと、を備えたことを特徴としている。
【０００６】
上記構成によれば、昇降グリルの吸込グリルには、フィルタ本体ユニットが設置され、チャンバの駆動ユニットにより駆動力が与えられて、適宜ロールフィルタが巻き取られるため、清掃あるいは交換の頻度を低減することができる。
また、清掃あるいは交換を行う際には、昇降グリルによりフィルタ本体ユニットは吸込グリルとともに所定位置（例えば、フィルタ本体ユニットの作業位置）まで降下されるので、容易に清掃あるいは交換を行うことができる。
さらに、駆動ユニットは、フィルタ本体ユニットとは別体にチャンバに設けられているため、フィルタ本体ユニットには、電気的な機構部品が配置されることは無く、構成が簡略化される。
【０００７】
本発明の第２態様は、第１態様において、前記ロールフィルタが前記吸込グリルの吸込流路と複数回交差するように、前記ロールフィルタの巻取経路が配置されている。
上記構成によれば、清掃あるいは交換頻度を下げても、確実に吸込空気の清浄化能力を高く維持することが可能となる。より詳細には、厚さの薄いロールフィルタを用いれば、同一の径でより長いロールフィルタを収納できるので、メンテナンス頻度を低下させることができる。同様に厚さの薄いロールフィルタを用い、長さを同一とすればよりフィルタ本体ユニットの軽量化を図ることができる。また、厚さが同じであれば、より捕集効率を高くして清浄化能力を高く維持することができる。
【０００８】
本発明の第３態様は、第１態様または第２態様において、前記フィルタユニット本体は、前記駆動ユニットからの駆動力が入力される入力ギアを有し、前記駆動ユニットは、揺動可能に支持され、かつ、前記吸込グリルの下降方向に付勢され、前記連結時に前記吸込グリルの昇降方向に沿って揺動されて、前記入力ギアに噛合される出力ギアを備えた、ことを特徴としている。
上記構成によれば、昇降グリルにより吸込グリルを昇降させる際に、駆動ユニットの出力ギアは、吸込グリルの下降方向に付勢され、前記連結時に前記吸込グリルの昇降方向に沿って揺動されつつ、入力ギアと噛合し、あるいは、噛合解除されるので、入力ギアおよび出力ギアの回転位置にかかわらず、動作を確実に行うことが可能となる。
【０００９】
本発明の第４態様は、第３態様において、前記駆動ユニットは、駆動モータと、前記出力ギアを有し、前記駆動モータの駆動力を減速しつつ伝達する減速機構と、前記出力ギアを揺動可能に支持する揺動アームと、を備えたことを特徴としている。
上記構成によれば、揺動アームにより揺動可能に支持されて、入力ギアおよび出力ギアの回転位置にかかわらず、確実に入力ギアと噛合し、あるいは、噛合解除されるとともに、噛合された後には、駆動モータの駆動力は、減速機構により減速しつつ出力ギアに伝達されて入力ギア、ひいては、フィルタユニット本体に伝達されて、確実に、ロールフィルタを巻き取ることができる。
【発明の効果】
【００１０】
本発明によれば、フィルタの清掃あるいは交換の頻度を下げつつ、フィルタの清掃あるいは交換を行う際には、フィルタを低所で清掃あるいは交換することができるととともに、簡易な構成の天井埋込型空気調和装置を提供できる。
【発明を実施するための最良の形態】
【００１１】
以下、本発明の一実施の形態を、図面を参照して説明する。
図１は、本発明の実施の形態に係る天井埋込型空気調和機１００の斜視図である。図２は天井埋込型空気調和機１００の分解斜視図である。また、図３は天井埋込型空気調和機１００の断面図である。
天井埋込型空気調和機１００は、箱形に形成された板金製の本体ユニット１を有し、この本体ユニット１と、フィルタチャンバ２０と、化粧パネル２１とが三段に重ねられて構成されている。
本体ユニット１の外側面には複数のボルト固定部１Ｂが設けられており、各々のボルト固定部１Ｂには天井面（図示略）に固定された吊下ボルト２がナット４によって固定され、これらの吊下ボルト２を介して、天井埋込型空気調和機１００は天井から吊り下げ設置される。
【００１２】
図３に示すように、本体ユニット１の内部には、側板１Ａ及び天面の内側に発泡スチロール製の断熱材３がほぼ全面にわたって配置されており、この断熱材３の内側に、送風機９、及び熱交換器１１が収容されている。
送風機９は、シャフトを下向きに配置されたモータ５と、モータ５のシャフトに取り付けられたターボファン７とで構成されている。熱交換器１１は、上面視で五角形に成形されたプレートフィン型の熱交換器であり、送風機９を取り囲むように配置される。
【００１３】
熱交換器１１の下方には、熱交換器１１の下面１１Ａを覆うように、発泡スチロール樹脂等の合成樹脂製のドレンパン１３が配設され、ドレンパン１３に溜まるドレンを外部に排出するドレンポンプ（図示略）が設けられている。
ドレンパン１３は、本体ユニット１の側板１Ａの内面に接するように配設され、ドレンパン１３の中央には吸込開口１４が開口し、周縁部には熱交換器１１を通った送風機９の排気を通すための吹出開口１５が形成されている。吸込開口１４の上部には、吸込開口１４を通った被調和室の空気を送風機９に案内するノズル１７が取り付けられている。また、ドレンパン１３には天井埋込型空気調和機１００の制御回路や電源回路等を収容した電装ボックス（図示略）等の各種部品がねじ止めされている。ここで、天井埋込型空気調和機１００の制御回路は、天井埋込型空気調和機１００全体の制御を行うＭＰＵ、各種制御プログラムを格納したＲＯＭ、一時的に各種データを記憶するＲＡＭ、不揮発的、かつ、更新可能に各種データを記憶するフラッシュＲＯＭなどを備えたマイクロコンピュータとして構成されている。さらに制御回路は、リモコンなどの外部機器との通信を行う通信インタフェースを備えるとともに、後述のインジケータ部２１Ａ等の各種情報を表示する表示部（例えば、液晶表示部など）を備えている。
【００１４】
フィルタチャンバ２０は、ドレンパン１３の直下に重ねて配設されており、フィルタチャンバ２０にはドレンパン１３の吹出開口１５に連通する通風孔２５と、吸込開口１４に連通する吸込開口２６とが形成されている。
フィルタチャンバ２０の吸込開口２６の側部には、後述する巻取駆動機構６０が配置されている。
フィルタチャンバ２０の下面には化粧パネル２１がねじ（図示略）等により取り付けられている。
化粧パネル２１には、被調和室の空気を吸込む吸込口２２と、熱交換器１１を通った調和空気を被調和室に吹き出す吹出口２３とが形成され、吸込口２２はフィルタチャンバ２０の吸込開口２６に連通し、吹出口２３はフィルタチャンバ２０の通風孔２５に連通する位置および形状に形成されている。さらに化粧パネル２１には、フィルタの交換を行うべき時期が近いことを示す交換予告、直ちにフィルタの交換を行うべきことを指示する交換指示告知などの各種情報を表示するためのＬＥＤが複数配置されたインジケータ部２１Ａが設けられている。
【００１５】
また、化粧パネル２１には、吸込口２２に嵌合するグリル３０と、グリル３０を４本の吊紐３６、３７、３８、３９によって昇降自在に支持する昇降ユニット３５とが取り付けられている。グリル３０の中央には室内空気を吸い込む吸込口３１が形成され、グリル３０が吸込口２２に嵌合した状態で吸込口３１が吸込開口２６に連通する。
グリル３０には、後述するロールフィルタユニット５０がねじなどにより載置、固定されており、グリル３０の昇降時に一体となって昇降されることとなっている。
【００１６】
昇降ユニット３５は、化粧パネル２１の内側、すなわちフィルタチャンバ２０側の面に、板金製のステー（図示略）を介して取り付けられ、４本の吊紐３６−３９を繰り出し、或いは巻き戻すことにより、所定の範囲でグリル３０を昇降させる。
グリル３０は、その一辺に２本の吊紐３６、３７が固定され、他辺に２本の吊紐３８、３９が固定されている。昇降ユニット３５は、吊紐３６、３７の繰り出し及び巻き戻しを行う第１機構（図示略）と、吊紐３８、３９の繰り出し及び巻き戻しを行う第２機構（図示略）と、これら第１機構及び第２機構を制御する制御基板（図示略）とを、一つの筐体に収納したものである。
【００１７】
吊紐３６−３９は、その一端がそれぞれグリル３０の裏面、すなわち図中上側の面に固定され、他端は、化粧パネル２１の裏面側に設けられたガイド８１〜８４によって水平方向に転向され、昇降ユニット３５内に収容される。
上記の第１機構は、吊紐３６、３７が巻き回されるボビン（図示略）、ボビンを回転させるギア（図示略）及びモータ（図示略）を内蔵し、このモータの正転或いは逆転動作によってボビンが正方向または逆方向に回転され、吊紐３６、３７の繰り出し或いは巻き戻しが行われる。同様に、吊紐３８、３９の他端は第２機構が備えるボビン（図示略）に巻き回され、第２機構が有するモータの正転或いは逆転動作がギアを介してボビンに伝達され、ボビンが正方向または逆方向に回転されて、吊紐３８、３９の繰り出し或いは巻き戻しが行われる。
【００１８】
ロールフィルタユニット５０は、使用前のロールフィルタ４０が第１ロール４１として巻回される第１ローラ５１と、使用後のロールフィルタ４０を第２ロール４２として巻き取るための第２ローラ５２と、を備えている。
また、ロールフィルタユニット５０は、第１ローラ５１から繰り出されたロールフィルタ４０の搬送方向を転向するための第１転向ローラ５３と、第１転向ローラ５３側から搬送されたロールフィルタ４０の搬送方向を再度転向するための第２転向ローラ５４と、第２転向ローラ５４側から搬送されたロールフィルタ４０の搬送方向を再度転向するための第３転向ローラ５５と、第３転向ローラ５５側から搬送されたロールフィルタ４０の搬送方向を第２ローラ５２側に転向するための第４転向ローラ５６と、を備えている。これらの結果、ロールフィルタ４０は、グリル３０の吸込流路と３回交差することとなり、捕集効率の向上を図っている。
【００１９】
また、ロールフィルタ４０は、グリル３０の吸込流路と３回交差させているので、厚さの薄いロールフィルタを用いた場合でも、捕集効率を低下させることなく、同一の径でより長いロールフィルタを収納できるので、メンテナンス頻度（交換頻度）を低下させることができる。同様に厚さの薄いロールフィルタを用い、長さを同一とすればよりフィルタ本体ユニットの軽量化を図ることができる。また、厚さが同じロールフィルタを用いるのであれば、１回あるいは２回交差させる場合と比較し、より捕集効率を高くして清浄化能力を高く維持することができる。
第２ローラ５２の回転軸５２Ａの一端側には、ロールフィルタ４０の巻取時の巻取駆動力を第２ローラ５２に伝達するためのギア５７が設けられている。
さらにロールフィルタユニット５０は、ケーシング５８を備えており、第１ローラ５１の回転軸５１Ａ、第２ロール４２の回転軸５２Ａ、第１転向ローラ５３〜第４転向ローラ５６の回転軸は、ケーシング５８により回転可能に支持されている。
さらにまた、ロールフィルタ４０の上方には、室内空気を吸い込む際に、ロールフィルタ４０が送風機９のターボファン７により引き込まれるのを防止するために、ロールフィルタ４０を背面側から支持する格子状の支持フレーム５９が設けられている。
【００２０】
巻取駆動機構６０は、上述したように、フィルタチャンバ２０の吸込開口２６の側面に設けられており、図示しないパルスモータを備えた駆動モータユニット６１と、駆動モータユニット６１のロータ軸に取り付けられたプーリ６２と、駆動モータユニット６１のロータ軸の回転中心軸を回動中心軸として揺動可能に駆動モータユニット６１に取り付けられ、図示しないばねなどの付勢機構により時計方向に回動するように付勢された揺動アーム６３と、揺動アーム６３の先端側（図３中、右側）に回転可能に保持され、フィルタチャンバ２０内へのロールフィルタユニット５０の収納時にギア５７（入力ギア）と噛合するギアプーリ（出力ギア）６４と、プーリ６２の回転駆動力をギアプーリ６４に伝達するタイミングベルト６５と、を備えている。
ここで、プーリ６２、ギアプーリ６４およびタイミングベルト６５は、減速機構を構成しており、駆動モータユニット６１の回転数を所定の減速比で減速して、ギア５７を駆動することとなっている。また、駆動量（ロールフィルタ４０の巻取時の巻取量）については、駆動モータユニット６１のパルスモータの駆動パルス数で算出しているが、ロータリーエンコーダをギアプーリ６４に設ける構成としても良い。
【００２１】
このように構成される天井埋込型空気調和機１００は、図示しない室外機から供給される冷媒を熱交換器１１に通して、熱交換器１１を蒸発器または凝縮器として機能させ、送風機９の動作によって吸込口３１から被調和室の室内空気を吸い込み、吸込口２２、吸込開口２６、吸込開口１４、及びノズル１７を通して室内空気を熱交換器１１に通して冷却または加熱し、調和空気とする。そして、天井埋込型空気調和機１００は、送風機９の動作によって、調和空気を吹出開口１５及び通風孔２５を通して吹出口２３から被調和室に吹き出し、被調和室を冷房または暖房することとなる。
【００２２】
次に天井埋込型空気調和機１００の動作について説明する。
図４は、天井埋込型空気調和機１００の吸込グリルを下降させた際の断面図である。
図５は、天井埋込型空気調和機１００の処理フローチャートである。
以下の説明においては、天井埋込型空気調和機１００の制御回路は、無線状態で通信される図示しないリモコンを介してユーザにより動作指示がなされるものとする。
まず、天井埋込型空気調和機１００の制御回路（特にＭＰＵ）は、リモコンにおいてロールフィルタ４０の巻取に関する設定操作がなされたか否かを判別する（ステップＳ１１）。
ステップＳ１１の判別において、設定操作がなされた場合には（ステップＳ１１；Ｙｅｓ）、リモコンを介した設定値入力操作をユーザに行わせ（ステップＳ１２）、入力された設定値を図示しないフラッシュＲＯＭに記憶し（ステップＳ１３）、処理をステップＳ１５に移行する。この場合において、入力される設定値としては、前回の巻取（あるいは交換）から次回のロールフィルタ４０の巻取を行うまでの期間（巻取最終回においてはロールフィルタ交換までの期間）である第１設定期間Ｔ１と、ロールフィルタ４０の巻取可能残数が１回である場合、すなわち、次々回は、ロールフィルタユニット５０の交換が必要な場合に交換予告を開始するまでの期間である第２設定期間Ｔ２（＜Ｔ１）などが挙げられる。
【００２３】
ステップＳ１１の判別において、設定操作がなされたのではない場合には（ステップＳ１１；Ｎｏ）、制御回路は、昇降操作がなされたのか否かを判別する（ステップＳ１４）。
ステップＳ１４の判別において、昇降操作がなされた場合には（ステップＳ１４；Ｙｅｓ）、制御回路は、グリル３０の昇降処理を行い（ステップＳ２２）、その後、処理を終了する。
具体的には、グリル３０の下降時には、昇降ユニット３５の制御基板は、第１機構を構成するモータの正転動作させることにより、ギアおよびボビンを繰り出し方向に回転させ、吊紐３６、３７を繰り出す。これと並行して、第２機構を構成するモータの正転動作させることにより、ギアおよびボビンを繰り出し方向に回転させ、吊紐３８、３９を繰り出す。
これらの結果、グリル３０が下降されることとなる。
【００２４】
これにともなって、ギアプーリ６４は、図示しない付勢機構により時計方向に回動するように付勢された揺動アーム６３によりタイミングベルト６５と一体となって、グリル３０の下降方向に揺動して下降（回動）し、所定位置（図４において、回動角度θ）に至ると、ギア５７との噛合が解除され、さらにグリル３０を下降させることにより、図４に示すような状態となる。
一方、グリル３０の上昇時には、昇降ユニット３５の制御基板は、第１機構を構成するモータの逆転動作させることにより、ギアおよびボビンを巻取方向に回転させ、吊紐３６、３７を巻き取る。これと並行して、第２機構を構成するモータの逆転動作させることにより、ギアおよびボビンを巻取方向に回転させ、吊紐３８、３９を巻き取る。
【００２５】
これらの結果、グリル３０が上昇されることとなる。この場合において、繰り出し量および巻取量は、ギアに設けられたロータリーエンコーダにより制御されている。
さらにグリル３０が上昇し、所定位置に至ると、ギア５７がギアプーリ６４に当接することとなる。そして、さらなるグリル３０の上昇により、ギアプーリ６４を支持する揺動アーム６３は、反時計方向に回動し、グリル３０の上昇が終了しても、ギアプーリ６４とギア５７の当接状態（あるいは噛合状態）を維持することとなる。
その後、駆動モータユニット６１が駆動されると、プーリ６２が回転し、タイミングベルト６５が駆動されて、プーリ６２の回転駆動力がギアプーリ６４に伝達される。
【００２６】
これらにより、ギアプーリ６４とギア５７は確実に噛合され、図３に示すような状態となって、ロールフィルタ４０の巻取がなされることとなる。
ステップＳ１４の判別において、昇降操作がなされたのではない場合には（ステップＳ；Ｎｏ）、制御回路は、ロールフィルタ４０の巻取可能残数は２回以上であるか否かを判別する（ステップＳ１５）。この場合において、巻取可能回数は、ロールフィルタ４０において予め定まっているものであり、この値については、予め制御回路を構成するフラッシュＲＯＭに記憶されている。
【００２７】
ステップＳ１５の判別において、ロールフィルタ４０の巻取可能残数は２回以上である場合には（ステップＳ１５；Ｙｅｓ）、制御回路は、前回のロールフィルタ４０の巻取タイミングから上述した第１設定期間Ｔ１が経過しているか否かを判別する（ステップＳ１６）。
ステップＳ１６の判別において、第１設定期間が経過している場合には（ステップＳ１７；Ｙｅｓ）、制御回路は、駆動モータユニット６１を駆動し、プーリ６２を回転させ、タイミングベルト６５を駆動して、ギアプーリ６４をロールフィルタ４０の巻取方向（図３では、時計回り方向）に回転させる。
この結果、ギア５７は、反時計回り方向に回転し、使用後のロールフィルタ４０が第２ロール４２として第２ローラ５２に巻き取られることとなる。
【００２８】
そして、これにともなって、第１ローラ５１から繰り出された未使用のロールフィルタ４０は、第１転向ローラ５３に至って搬送方向を転向し、その先端が第２転向ローラ５４を超えた位置まで搬送され、第３転向ローラ５５と第４転向ローラ５６との間に位置していた使用済みのロールフィルタ４０が第２ローラ５２に巻き取られることとなる。
したがって、ロールフィルタ４０は、本実施形態では、未使用状態から３回の巻取で使用済み状態に至ることとなる。
また、ステップＳ１６の判別において、第１設定期間が経過していない場合には（ステップＳ１６；Ｎｏ）、未だロールフィルタ４０の巻取タイミングに至っていないので、処理を終了し待機状態となる。
【００２９】
また、ステップＳ１５の判別において、ロールフィルタ４０の巻取可能残数は２回以上ではない場合、すなわち、ロールフィルタ４０の巻取可能残数が１回である場合には（ステップＳ１５；Ｎｏ）、制御回路は、前回のロールフィルタ４０の巻取タイミングから上述した第２設定期間Ｔ２が経過しているか否かを判別する（ステップＳ１８）。
ステップＳ１８の判別において、第２設定期間Ｔ２が経過していない場合には（ステップＳ１８；Ｎｏ）、制御回路は、未だロールフィルタユニット５０の交換予告あるいは交換指示告知を行うべきタイミングに至っていないので、処理を終了し待機状態となる。ここで、交換予告とは、所定期間内にロールフィルタユニット５０を交換しなければならなくなる旨を通知するものであり、交換指示告知とは、性能維持を図るためには、直ちにロールフィルタユニット５０を交換する必要がある旨を通知するものである。
【００３０】
ステップＳ１８の判別において、第２設定期間Ｔ２が経過している場合には（ステップＳ１８；Ｙｅｓ）、制御回路は、前回のロールフィルタ４０の巻取タイミングから第１設定期間Ｔ１が経過しているか否かを判別する（ステップＳ１９）。
ステップＳ１９の判別において、第１設定期間Ｔ１が未だ経過していない場合には（ステップＳ１９；Ｎｏ）、制御回路は、所定期間内にロールフィルタユニット５０を交換しなければならなくなる旨を通知する必要があると判別し、交換予告を行い（ステップＳ２０）、処理を終了する。この場合において、交換予告は、各種情報を表示する表示部（例えば、インジケータ部２１Ａや、他のＬＥＤ表示部、液晶表示部など）を介して行われる。
【００３１】
一方、ステップＳ１９の判別において、第１設定期間が経過している場合には（ステップＳ１９；Ｙｅｓ）、制御回路は、性能維持を図るためには、直ちにロールフィルタユニット５０を交換する必要があると判別し、交換指示告知を行い（ステップＳ２１）、処理を終了する。この場合において、交換指示告知は、各種情報を表示する表示部（例えば、インジケータ部２１Ａや、他のＬＥＤ表示部、液晶表示部など）を介して行われる。
【００３２】
以上の説明のように、本実施形態によれば、グリル３０には、ロールフィルタユニット５０が設置され、巻取駆動機構６０（＝駆動ユニット）の駆動モータユニット６１により駆動力が与えられて、適宜のタイミング（＝第１設定期間Ｔ１毎）にロールフィルタ４０が巻き取られるため、清掃あるいは交換の頻度を低減することができる。この場合において、駆動モータユニット６１は、フィルタチャンバ２０側に設けられているため、グリル３０には、電気配線などを設ける必要がないので、装置構成を簡略化することができるとともに、使い捨てのロールフィルタユニット５０のコストも低減することが可能となる。
【００３３】
また、巻取駆動機構６０（＝駆動ユニット）を構成するギアプーリ６４は、図示しない付勢機構により時計方向に回動するように付勢された揺動アーム６３によりタイミングベルト６５と一体となって揺動するので、グリル３０の上昇時（あるいは、上昇後）に確実にギア５７との噛合状態を復帰させることができ、グリル３０の昇降後に、確実にロールフィルタ４０を巻き取ることが可能となる。
以上の説明においては、ロールフィルタ４０がグリル３０の吸込流路と３回交差するように、ロールフィルタ４０の巻取経路が配置されていたが、ロールフィルタ４０が、１回、２回あるいは４回以上、グリル３０の吸込流路と交差するようにすることが可能である。
以上の説明では、駆動モータユニット６１は、フィルタチャンバ２０に固定されていたが、駆動モータユニット６１をフィルタチャンバ２０にダンパ機構を介して固定して、巻取駆動機構６０全体を左右方向あるいは上下方向に若干量移動可能とすることにより、ギア５７あるいはギアプーリ６４に必要以上に負荷がかかることなく、噛合状態へ移行させ、あるいは、噛合状態の解除を行うことができる。
【図面の簡単な説明】
【００３４】
【図１】本発明の実施の形態に係る天井埋込型空気調和機１００の斜視図である。
【図２】天井埋込型空気調和機１００の分解斜視図である。
【図３】天井埋込型空気調和機１００の断面図である。
【図４】天井埋込型空気調和機１００の吸込グリルを下降させた際の断面図である。
【図５】天井埋込型空気調和機１００の処理フローチャートである。
【符号の説明】
【００３５】
１００  天井埋込型空気調和機
１  本体ユニット
９  送風機
１１  熱交換器
１４  吸込開口
１５  吹出開口
２０  フィルタチャンバ（チャンバ）
２１  化粧パネル
２２  吸込口
２６  吸込開口
３０  グリル（吸込グリル、昇降グリル）
３５  昇降ユニット（昇降グリル）
４０  ロールフィルタ
５０  ロールフィルタユニット（フィルタ本体ユニット）
６０  巻取駆動機構（駆動ユニット）
６１  駆動モータユニット（駆動ユニット）
６２  プーリ（駆動ユニット）
６３  揺動アーム（駆動ユニット）
６４  ギアプーリ（駆動ユニット）
６５  タイミングベルト（駆動ユニット）
Ｔ１  第１設定期間
Ｔ２  第２設定期間
【図１】
2010043783.tif 000003
【図２】
2010043783.tif 000004
【図３】
2010043783.tif 000005
【図４】
2010043783.tif 000006
【図５】
2010043783.tif 000007